(57)【要約】  使い勝手の向上を図る。  アクセサリーが取付可能な環状のマウント部と、開口を通じて取り込まれた被写体光を受光する撮像素子と、開口を閉塞する閉塞位置と開口を開放する開放位置との間で移動されるバリアと、マウント部に対するアクセサリーの取付動作に伴ってバリアを移動させるための被作用部と、マウント部に対するアクセサリーの取付動作に拘わらずバリアを移動させる操作部とを備え、操作部がマウント部の内側又はマウント部の前面部に位置された。
2018110063.tif 000002
【特許請求の範囲】
【請求項１】
アクセサリーが取付可能な環状のマウント部と、
開口を通じて取り込まれた被写体光を受光する撮像素子と、
前記開口を閉塞する閉塞位置と前記開口を開放する開放位置との間で移動されるバリアと、
前記マウント部に対する前記アクセサリーの取付動作に伴って前記バリアを移動させるための被作用部と、
前記マウント部に対する前記アクセサリーの取付動作に拘わらず前記バリアを移動させる操作部とを備え、
前記操作部が前記マウント部の内側又は前記マウント部の前面部に位置された
撮像装置。
【請求項２】
前記操作部の操作を規制することにより前記バリアの移動を不可とする規制部が設けられた
請求項１に記載の撮像装置。
【請求項３】
前記規制部による前記操作部の操作の規制により前記バリアが前記開放位置に保持される
請求項２に記載の撮像装置。
【請求項４】
前記被作用部を有し前記アクセサリーの取付動作に伴って移動される作動レバーが設けられた
請求項１に記載の撮像装置。
【請求項５】
前記作動レバーを移動可能に支持する支持ベースが設けられ、
前記操作部の操作を規制することにより前記バリアの移動を不可とする規制部が設けられ、
前記規制部が前記支持ベースに設けられた
請求項４に記載の撮像装置。
【請求項６】
前記操作部が前記アクセサリーの前記マウント部に対する着脱時に前記アクセサリーと接触しない位置に存在する
請求項１に記載の撮像装置。
【請求項７】
前記操作部を有する操作レバーが設けられ、
前記操作レバーが前記作動レバーに支持された
請求項４に記載の撮像装置。
【請求項８】
アクセサリーが取付可能な環状のマウント部と、
開口を通じて取り込まれた被写体光を受光する撮像素子と、
前記開口を閉塞する閉塞位置と前記開口を開放する開放位置との間で移動されるバリアと、
前記マウント部に対する前記アクセサリーの取付動作に拘わらず前記バリアを移動させる操作部と、
前記操作部の操作を規制することにより前記バリアの移動を不可とする規制部とを備え、
前記操作部が前記マウント部の内側又は前記マウント部の前面部に位置された
撮像装置。
【請求項９】
前記マウント部に対する前記アクセサリーの取付動作に伴って前記バリアを移動させるための被作用部が設けられた
請求項８に記載の撮像装置。
【請求項１０】
前記被作用部を有し前記アクセサリーの取付動作に伴って移動される作動レバーが設けられた
請求項９に記載の撮像装置。
【請求項１１】
前記作動レバーを移動可能に支持する支持ベースが設けられ、
前記規制部が前記支持ベースに設けられた
請求項１０に記載の撮像装置。
【請求項１２】
前記操作部を有する操作レバーが設けられ、
前記操作レバーが前記作動レバーに支持された
請求項１０に記載の撮像装置。
【請求項１３】
前記規制部による前記操作部の操作の規制により前記バリアが前記開放位置に保持される
請求項８に記載の撮像装置。
【請求項１４】
前記操作部が前記アクセサリーの前記マウント部に対する着脱時に前記アクセサリーと接触しない位置に存在する
請求項８に記載の撮像装置。
【請求項１５】
アクセサリーが取付可能な環状のマウント部と、
開口を通じて取り込まれた被写体光を受光する撮像素子と、
前記開口を閉塞する閉塞位置と前記開口を開放する開放位置との間で移動されるバリアと、
前記マウント部に対する前記アクセサリーの取付動作に拘わらず前記バリアを移動させる操作部とを備え、
前記操作部が前記アクセサリーの前記マウント部に対する着脱時に前記アクセサリーと接触しない位置において前記マウント部の内側又は前記マウント部の前面部に位置された
撮像装置。
【請求項１６】
前記操作部の操作を規制することにより前記バリアの移動を不可とする規制部が設けられた
請求項１５に記載の撮像装置。
【請求項１７】
前記規制部による前記操作部の操作の規制により前記バリアが前記開放位置に保持される
請求項１６に記載の撮像装置。
【請求項１８】
前記マウント部に対する前記アクセサリーの取付動作に伴って前記バリアを移動させるための被作用部が設けられた
請求項１５に記載の撮像装置。
【請求項１９】
前記被作用部を有し前記アクセサリーの取付動作に伴って移動される作動レバーが設けられた
請求項１８に記載の撮像装置。
【請求項２０】
前記操作部の操作を規制することにより前記バリアの移動を不可とする規制部が設けられ、
前記作動レバーを移動可能に支持する支持ベースが設けられ、
前記規制部が前記支持ベースに設けられた
請求項１９に記載の撮像装置。
【請求項２１】
前記操作部を有する操作レバーが設けられ、
前記操作レバーが前記作動レバーに支持された
請求項１９に記載の撮像装置。
【発明の詳細な説明】
【技術分野】
【０００１】
本技術はアクセサリーがマウント部に対して着脱可能にされた撮像装置についての技術分野に関する。
【背景技術】
【０００２】
スチルカメラやビデオカメラ等の各種の撮像装置には、交換レンズ等のアクセサリーが環状のマウント部に着脱可能にされ、例えば、交換レンズがマウント部に取り付けられることにより機能性の向上が図られる。また、交換レンズはアダプターを介してマウント部に取り付けられる場合もあり、アダプターも撮像装置に対するアクセサリーとして用いられる。【０００３】
このようなアクセサリーが着脱可能にされた撮像装置には、結合部が設けられたアクセサリーを係合部が設けられたマウント部に押し付けた状態でマウント部に対して回転させてアクセサリーの結合部をマウント部に設けられた係合部に係合させることにより、アクセサリーが取り付けられる構成にされたものがある（例えば、特許文献１参照）。【０００４】
アクセサリーの撮像装置からの取り外しは、アクセサリーをマウント部に対して取付時とは逆方向に回転させて結合部の係合部との係合を解除させマウント部から引き出すことにより行うことが可能である。【０００５】
上記のような撮像装置にあっては、内部に撮影光が入射される撮像素子が配置され、マウント部の内側に撮影光を取り込むための開口が形成されており、開口からの塵埃や水分等の異物の侵入等を抑制するために開口を開閉可能なバリア（カバー）が設けられている。【０００６】
このようにバリアは撮影光を取り込むための開口を開閉する機能を有しており、撮影時には開口を開放し非撮影時には開口を閉塞する。また、撮像素子に付着する塵埃等を布等によって除去するクリーニングを行う場合等には、バリアによって開口が開放されている必要がある。【０００７】
そこで、特許文献１に記載された撮像装置にあっては、切替スイッチが設けられている。切替スイッチはマウント部の外側に配置されている。【０００８】
切替スイッチに対する操作により自動モードが設定されると、アクセサリーのマウント部に対する着脱に伴ってバリアが移動され、アクセサリーがマウント部に取り付けられるときにバリアによって開口が開放され、アクセサリーがマウント部から取り外されれるときにバリアによって開口が閉塞される。一方、切替スイッチに対する操作により手動モード（開モード又は閉モード）が設定されると、アクセサリーのマウント部に対する着脱に拘わらず、手動によりバリアによって開口を開放又は閉塞することが可能になる。
【先行技術文献】
【特許文献】
【０００９】
【特許文献１】特開２００８−１５０１７号公報
【発明の概要】
【発明が解決しようとする課題】
【００１０】
ところで、自動モードと手動モードを切り替える切替スイッチが設けられることにより、使用者の意図や用途に応じてバリアが動作されて開口が開閉されるため、撮像装置の使い勝手の向上を図ることができると共に撮影機会の逸失を低減することができる。【００１１】
一方、切替スイッチが存在することにより、例えば、撮影時等に使用者が撮像装置を把持したときに指が切替スイッチに触れてしまい違和感を生じたり、意図せず切替スイッチに接触して誤操作を行ってしまうおそれがある。【００１２】
そこで、本技術撮像装置は、上記した問題点を克服し、使い勝手の向上を図ることを目的とする。
【課題を解決するための手段】
【００１３】
第１に、本技術に係る撮像装置は、アクセサリーが取付可能な環状のマウント部と、開口を通じて取り込まれた被写体光を受光する撮像素子と、前記開口を閉塞する閉塞位置と前記開口を開放する開放位置との間で移動されるバリアと、前記マウント部に対する前記アクセサリーの取付動作に伴って前記バリアを移動させるための被作用部と、前記マウント部に対する前記アクセサリーの取付動作に拘わらず前記バリアを移動させる操作部とを備え、前記操作部が前記マウント部の内側又は前記マウント部の前面部に位置されたものである。【００１４】
これにより、マウント部の内側又はマウント部の前面部に位置された操作部に対する操作によってバリアが閉塞位置と開放位置の間で移動されて開口が開閉される。【００１５】
第２に、上記した本技術に係る撮像装置においては、前記操作部の操作を規制することにより前記バリアの移動を不可とする規制部が設けられることが望ましい。【００１６】
これにより、規制部によって操作部の操作が規制されることによりバリアが所定の位置に保持されるため、開放位置と閉塞位置の間でバリアが意図せず移動されることがない。【００１７】
第３に、上記した本技術に係る撮像装置においては、前記規制部による前記操作部の操作の規制により前記バリアが前記開放位置に保持されることが望ましい。【００１８】
これにより、規制部によって操作部の操作が規制されることによりバリアが開放位置に保持されるため、開放位置から閉塞位置へ向けてバリアが意図せず移動されることがない。【００１９】
第４に、上記した本技術に係る撮像装置においては、前記被作用部を有し前記アクセサリーの取付動作に伴って移動される作動レバーが設けられることが望ましい。【００２０】
これにより、アクセサリーの取付動作に伴って作動レバーが移動されて被作用部が動作されきる。【００２１】
第５に、上記した本技術に係る撮像装置においては、前記作動レバーを移動可能に支持する支持ベースが設けられ、前記操作部の操作を規制することにより前記バリアの移動を不可とする規制部が設けられ、前記規制部が前記支持ベースに設けられることが望ましい。【００２２】
これにより、作動レバーを移動可能に支持する支持ベースに規制部が設けられているため、規制部を設けるための専用の部品を必要としない。【００２３】
第６に、上記した本技術に係る撮像装置においては、前記操作部が前記アクセサリーの前記マウント部に対する着脱時に前記アクセサリーと接触しない位置に存在することが望ましい。【００２４】
これにより、アクセサリーのマウント部に対する着脱時にアクセサリーによって操作部が操作されることがない。【００２５】
第７に、上記した本技術に係る撮像装置においては、前記操作部を有する操作レバーが設けられ、前記操作レバーが前記作動レバーに支持されることが望ましい。【００２６】
これにより、作動レバーと操作レバーが離隔した位置に存在しないため、作動レバーと操作レバーの合計の配置スペースが小さくなる。【００２７】
第８に、本技術に係る別の撮像装置は、アクセサリーが取付可能な環状のマウント部と、開口を通じて取り込まれた被写体光を受光する撮像素子と、前記開口を閉塞する閉塞位置と前記開口を開放する開放位置との間で移動されるバリアと、前記マウント部に対する前記アクセサリーの取付動作に拘わらず前記バリアを移動させる操作部と、前記操作部の操作を規制することにより前記バリアの移動を不可とする規制部とを備え、前記操作部が前記マウント部の内側又は前記マウント部の前面部に位置されたものである。【００２８】
これにより、マウント部の内側又はマウント部の前面部に位置された操作部に対する操作によってバリアが閉塞位置と開放位置の間で移動されて開口が開閉される。【００２９】
第９に、上記した本技術に係る別の撮像装置においては、前記マウント部に対する前記アクセサリーの取付動作に伴って前記バリアを移動させるための被作用部が設けられることが望ましい。【００３０】
これにより、アクセサリーがマウント部に着脱されるときに被作用部が動作されてバリアが開放位置と閉塞位置の間で移動されて開口が開閉されるため、アクセサリーの着脱作業と開口の開閉作業とを各別に行う必要がない。【００３１】
第１０に、上記した本技術に係る別の撮像装置においては、前記被作用部を有し前記アクセサリーの取付動作に伴って移動される作動レバーが設けられることが望ましい。【００３２】
これにより、アクセサリーの取付動作に伴って作動レバーが移動されて被作用部が動作されきる。【００３３】
第１１に、上記した本技術に係る別の撮像装置においては、前記作動レバーを移動可能に支持する支持ベースが設けられ、前記規制部が前記支持ベースに設けられることが望ましい。【００３４】
これにより、作動レバーを移動可能に支持する支持ベースに規制部が設けられているため、規制部を設けるための専用の部品を必要としない。【００３５】
第１２に、上記した本技術に係る別の撮像装置においては、前記操作部を有する操作レバーが設けられ、前記操作レバーが前記作動レバーに支持されることが望ましい。【００３６】
これにより、作動レバーと操作レバーが離隔した位置に存在しないため、作動レバーと操作レバーの合計の配置スペースが小さくなる。【００３７】
第１３に、上記した本技術に係る別の撮像装置においては、前記規制部による前記操作部の操作の規制により前記バリアが前記開放位置に保持されることが望ましい。【００３８】
これにより、規制部によって操作部の操作が規制されることによりバリアが開放位置に保持されるため、開放位置から閉塞位置へ向けてバリアが意図せず移動されることがない。【００３９】
第１４に、上記した本技術に係る別の撮像装置においては、前記操作部が前記アクセサリーの前記マウント部に対する着脱時に前記アクセサリーと接触しない位置に存在することが望ましい。【００４０】
これにより、アクセサリーのマウント部に対する着脱時にアクセサリーによって操作部が操作されることがない。【００４１】
第１５に、本技術に係るまた別の撮像装置は、アクセサリーが取付可能な環状のマウント部と、開口を通じて取り込まれた被写体光を受光する撮像素子と、前記開口を閉塞する閉塞位置と前記開口を開放する開放位置との間で移動されるバリアと、前記マウント部に対する前記アクセサリーの取付動作に拘わらず前記バリアを移動させる操作部とを備え、前記操作部が前記アクセサリーの前記マウント部に対する着脱時に前記アクセサリーと接触しない位置において前記マウント部の内側又は前記マウント部の前面部に位置されたものである。【００４２】
これにより、マウント部の内側又はマウント部の前面部に位置された操作部に対する操作によってバリアが閉塞位置と開放位置の間で移動されて開口が開閉される。【００４３】
第１６に、上記した本技術に係るまた別の撮像装置においては、前記操作部の操作を規制することにより前記バリアの移動を不可とする規制部が設けられることが望ましい。【００４４】
これにより、規制部によって操作部の操作が規制されることによりバリアが所定の位置に保持されるため、開放位置と閉塞位置の間でバリアが意図せず移動されることがない。【００４５】
第１７に、上記した本技術に係るまた別の撮像装置においては、前記規制部による前記操作部の操作の規制により前記バリアが前記開放位置に保持されることが望ましい。【００４６】
これにより、規制部によって操作部の操作が規制されることによりバリアが開放位置に保持されるため、開放位置から閉塞位置へ向けてバリアが意図せず移動されることがない。【００４７】
第１８に、上記した本技術に係るまた別の撮像装置においては、前記マウント部に対する前記アクセサリーの取付動作に伴って前記バリアを移動させるための被作用部が設けられることが望ましい。【００４８】
これにより、アクセサリーがマウント部に着脱されるときに被作用部が動作されてバリアが開放位置と閉塞位置の間で移動されて開口が開閉されるため、アクセサリーの着脱作業と開口の開閉作業とを各別に行う必要がない。【００４９】
第１９に、上記した本技術に係るまた別の撮像装置においては、前記被作用部を有し前記アクセサリーの取付動作に伴って移動される作動レバーが設けられることが望ましい。【００５０】
これにより、アクセサリーの取付動作に伴って作動レバーが移動されて被作用部が動作される。【００５１】
第２０に、上記した本技術に係るまた別の撮像装置においては、前記操作部の操作を規制することにより前記バリアの移動を不可とする規制部が設けられ、前記作動レバーを移動可能に支持する支持ベースが設けられ、前記規制部が前記支持ベースに設けられることが望ましい。【００５２】
これにより、作動レバーを移動可能に支持する支持ベースに規制部が設けられているため、規制部を設けるための専用の部品を必要としない。【００５３】
第２１に、上記した本技術に係るまた別の撮像装置においては、前記操作部を有する操作レバーが設けられ、前記操作レバーが前記作動レバーに支持されることが望ましい。【００５４】
これにより、作動レバーと操作レバーが離隔した位置に存在しないため、作動レバーと操作レバーの合計の配置スペースが小さくなる。
【発明の効果】
【００５５】
本技術によれば、マウント部の内側又はマウント部の前面部に位置された操作部に対する操作によってバリアが閉塞位置と開放位置の間で移動されて開口が開閉されるため、撮像装置を把持した状態において操作部に指が接触し難く、使い勝手の向上を図ることができる。【００５６】
尚、本明細書に記載された効果はあくまでも例示であって限定されるものではなく、他の効果があってもよい。
【図面の簡単な説明】
【００５７】
【図１】図２乃至図４３と共に本技術撮像装置の実施の形態を示すものであり、本図は、撮像装置を示す斜視図である。
【図２】撮像装置と交換レンズの内部構成の一例を示す断面図である。
【図３】撮像装置と交換レンズの内部構成の別の例を示す断面図である。
【図４】撮像装置と交換レンズの内部構成のまた別の例を示す断面図である。
【図５】撮像装置と交換レンズの内部構成のさらに別の例を示す断面図である。
【図６】撮像装置と交換レンズの内部構成のさらにまた別の例を示す断面図である。
【図７】カメラユニットの斜視図である。
【図８】カメラユニットの分解斜視図である。
【図９】ベース体の斜視図である。
【図１０】支持ベースと作動レバーと操作レバーを示す分解斜視図である。
【図１１】支持ベースに作動レバーが支持された状態を示す正面図である。
【図１２】支持ベースに作動レバーが支持された状態を示す斜視図である。
【図１３】作動レバーと操作レバーの位置関係等を示す正面図である。
【図１４】作動レバーの一部と操作レバーの分解斜視図である。
【図１５】作動レバーと操作レバーを一部を断面にして示す側面図である。
【図１６】バリアの分解斜視図である。
【図１７】操作レバーがマウント部の内側に位置されている状態を示す正面図である。
【図１８】支持ベースにバリア等が支持された状態を示す正面図である。
【図１９】交換レンズの後端部を示す斜視図である。
【図２０】図２１乃至図２９と共にバリア等の動作を示すものであり、本図は、初期状態を示す正面図である。
【図２１】マウント部のリング部材に交換レンズのベースリング部が押し付けられた状態を示す断面図である。
【図２２】マウント部に交換レンズが取り付けられた状態を示す断面図である。
【図２３】作動レバーが移動され開口が開放されている途中の状態を示す正面図である。
【図２４】作動レバーが移動され開口が開放された状態を示す正面図である。
【図２５】作動レバーが移動され開口が閉塞されている途中の状態を示す正面図である。
【図２６】操作レバーが操作される前の状態を示す斜視図である。
【図２７】操作レバーが操作され作用孔の第２の部分まで移動された状態を示す斜視図である。
【図２８】操作レバーが操作されてロックされた状態を示す斜視図である。
【図２９】開口が開放された状態において操作レバーがロックされた状態を示す正面図である。
【図３０】図３１乃至図４１と共に各構成例を示すものであり、本図は、第１の構成例において、ロック解除レバーが動作される前の状態を示す斜視図である。
【図３１】第１の構成例において、ロック解除レバーによって操作レバーのロックが解除された状態を示す斜視図である。
【図３２】第１の構成例において、交換レンズの結合部によってロック解除レバーとともに作動レバーの被作用部が押圧されている状態を示す斜視図である。
【図３３】第２の構成例において、操作レバーが操作される前の状態を示す斜視図である。
【図３４】第２の構成例において、操作レバーが操作された状態を示す斜視図である。
【図３５】第２の構成例において、操作レバーがロックされた状態を示す斜視図である。
【図３６】第３の構成例において、操作レバーが操作される前の状態を示す断面図である。
【図３７】第３の構成例において、操作レバーが操作された状態を示す断面図である。
【図３８】第３の構成例において、操作レバーがロックされた状態を示す断面図である。
【図３９】第４の構成例において、操作レバーが操作される前の状態を示す平面図である。
【図４０】第４の構成例において、操作レバーが操作された状態を示す平面図である。
【図４１】第４の構成例において、操作レバーがロックされた状態を示す平面図である。
【図４２】モード表示部が設けられた撮像装置の例を示す斜視図である。
【図４３】撮像装置のブロック図である。
【発明を実施するための形態】
【００５８】
以下に、本技術を実施するための形態を添付図面を参照して説明する。
【００５９】
以下に示した実施の形態は、本技術撮像装置をスチルカメラに適用したものである。
【００６０】
尚、本技術の適用範囲はスチルカメラに限られることはない。本技術は、例えば、スチルカメラ以外のビデオカメラ等の他の各種の撮像装置に広く適用することができる。
【００６１】
以下の説明にあっては、スチルカメラの撮影時において撮影者から見た方向で前後上下左右の方向を示すものとする。従って、物体側が前方になり、像面側が後方になる。
【００６２】
尚、以下に示す前後上下左右の方向は説明の便宜上のものであり、本技術の実施に関しては、これらの方向に限定されることはない。
【００６３】
また、以下に示すレンズ群は、単数又は複数のレンズにより構成されたものの他、これらの単数又は複数のレンズと絞りやアイリス等の他の光学素子を含んでもよい。
【００６４】
さらに、以下には、撮像装置に着脱可能なアクセサリーとして交換レンズを例として示したが、アクセサリーは交換レンズに限られることはなく、例えば、交換レンズを撮像装置に取り付けるためのアダプター等の他のアクセサリーであってもよい。
【００６５】
＜撮像装置の概略構成＞
先ず、撮像装置の概略構成について説明する（図１乃至図６参照）。
【００６６】
撮像装置１は、例えば、横長の扁平な筐体２の内外に所要の各部が配置されて成る（図１及び図２参照）。撮像装置１にはアクセサリーとして用いられる交換レンズ１００の着脱が可能にされている。
【００６７】
筐体２の上面には各種の入力部３、３、・・・が設けられている（図１参照）。入力部３、３、・・・としては、例えば、撮影釦、ズーム摘子、電源釦、モード選択摘子等が設けられている。筐体２の上端部には出し入れ可能なフラッシュ４が設けられている。筐体２の上端部にはフラッシュ４の後側にファインダー５が設けられている。筐体２の後面には図示しないディスプレイと図示しない各種の操作部が設けられている。
【００６８】
筐体２の内部には前側から順にバリア６とシャッター７と撮像素子８が配置されている（図２参照）。撮像素子８としては、例えば、ＣＣＤ（Charge Coupled Device）やＣＭＯＳ（Complementary Metal-Oxide Semiconductor）等が用いられている。
【００６９】
尚、撮像装置１は、例えば、筐体２の内部に前側から順にバリア６と撮像素子８が配置され、シャッター７が配置されていない構成にされていてもよい（図３及び図４参照）。この場合に、例えば、交換レンズ１００の内部に絞り９が配置された構成（図３参照）、又は、交換レンズ１００の内部にシャッター７が配置された構成（図４参照）にされていてもよい。
【００７０】
また、撮像装置１は、例えば、筐体２の内部に前側から順にバリア６とミラー（リフレクター）１０と撮像素子８が配置され、シャッター７が配置されていない構成にされていてもよい（図５参照）。この場合に、例えば、交換レンズ１００の内部にシャッター７も絞り９も配置されていない構成にされていてもよい。
【００７１】
さらに、撮像装置１は、例えば、筐体２の内部に前側から順にバリア６とシャッター７とミラー１０と撮像素子８が配置されている構成にされていてもよい（図６参照）。この場合に、例えば、交換レンズ１００の内部に絞り９とシャッター７が配置された構成にされていてもよい。
【００７２】
＜撮像装置の具体的構成＞
次に、撮像装置の具体的構成について説明する。
【００７３】
撮像装置１には筐体２に取り付けられたカメラユニット１１が設けられている（図１、図７及び図８参照）。筐体２には前面部に円形状の配置孔が形成され、カメラユニット１１は一部が配置孔から前方に突出された状態で筐体２に取り付けられている。
【００７４】
カメラユニット１１は撮像ユニット１２とシャッター７とベース体１３と支持ベース１４と作動レバー１５と操作レバー１６とバリア６とマウント部１７を有している（図７及び図８参照）。
【００７５】
撮像ユニット１２は前後方向を向く略平板状のユニットベース１８とユニットベース１８の前面に取り付けられた素子ホルダー１９と素子ホルダー１９に保持された撮像素子８とを有している。撮像素子８には撮影光が入射され、入射された撮影光が光電変換により電気的信号に変換される。
【００７６】
シャッター７は前後方向を向く略平板状の支持体７ａと支持体７ａの後面に取り付けられた機構部７ｂとを有している。機構部７ｂは図示しない複数のシャッター羽根を有している。シャッター羽根は撮影釦が操作されたときに動作される。シャッター７は撮像ユニット１２に前側から取り付けられ、シャッター羽根が撮像素子８の前面側において動作される。
【００７７】
ベース体１３はシャッター７における支持体７ａの前面に対向して配置されたベース部材２０とベース部材２０に取り付けられた化粧リング２１とを有している（図９参照）。
【００７８】
ベース部材２０は前後方向を向く板状の基板部２２と基板部２２から前方に突出された略円環状の環状部２３とを有している。
【００７９】
基板部２２には前後に貫通された円形状の光透過孔２２ａが形成されている。環状部２３は光透過孔２２ａの開口縁から前方に突出されている。環状部２３には図示しない挿通孔が形成されている。
【００８０】
基板部２２には解除釦２４が前後方向へ移動可能に支持されている。解除釦２４は被押圧部２４ａと被押圧部２４ａから突出された略Ｌ字状の連結部２４ｂとを有し、被押圧部２４ａが環状部２３の外周面側に位置され、連結部２４ｂが環状部２３に形成された挿通孔を挿通されて先端部が環状部２３の内周面側に位置されている。解除釦２４は被押圧部２４ａが後方に押圧操作され、押圧操作が終了すると図示しないバネ部材によって前方へ移動されて元の状態に戻る構成にされている。
【００８１】
解除釦２４における連結部２４ｂの先端部には丸軸状の挿入ピン２５が取り付けられている。挿入ピン２５は軸方向が前後方向にされ、解除釦２４の前後方向への移動に伴って前後方向へ移動される。
【００８２】
化粧リング２１は環状部２３の外周面に取り付けられている。
【００８３】
ベース部材２０には基板部２２の内周部に付勢バネ２６、２６が連結されている。付勢バネ２６、２６は、例えば、引張コイルバネであり、環状部２３の周方向において略１８０度離隔した位置に連結されている。
【００８４】
支持ベース１４は前後方向を向く略平板状の支持面部２７と支持面部２７から前方に突出された円環状のフランジ部２８とを有している（図１０乃至図１２参照）。支持ベース１４はベース体１３とシャッター７の間に配置されている。
【００８５】
支持面部２７は下端部を除く外形状が円形状に形成され、横長の略矩形状の開口２７ａを有している。開口２７ａは撮像素子８に入射される撮影光を取り込むための空間である。支持面部２７の外周部には突部挿通孔２７ｂ、２７ｂが周方向に離隔して形成されている。突部挿通孔２７ｂ、２７ｂは周方向に延びる円弧状に形成されている。
【００８６】
支持面部２７の外周部における突部挿通孔２７ｂ、２７ｂの間には、作用孔２９が形成されている。作用孔２９は周方向に延びる形状に形成され、周方向における一方の略半部が第１の部分３０として形成され他方の略半部が第２の部分３１として形成されている（図１３参照）。第２の部分３１は第１の部分３０に対してフランジ部２８側に大きく形成され、周方向において第１の部分３０に連続する部分が非ロック用空間３１ａとして形成され非ロック用空間３１ａよりフランジ部２８側の部分がロック用空間３１ｂとして形成されている。
【００８７】
支持面部２７のうち周方向においてロック用空間３１ｂに隣接する一方の部分は規制部３２として設けられている。
【００８８】
支持面部２７の下端寄りの位置には接点配置部３３が設けられている（図１０及び図１１参照）。接点配置部３３は下方に凸の円弧状に形成され、接点配置部３３には複数の接点３４、３４、・・・が周方向に離隔して配置されている。
【００８９】
支持面部２７における後面側の外周部には支持凹部３５が形成されている（図１２参照）。支持凹部３５は略円弧状に形成され、後方及び外方に開口されている。支持面部２７には後方に突出された支持軸部２７ｃ、２７ｃが周方向において略１８０度離隔した位置に設けられている。
【００９０】
作動レバー１５は支持面部２７に支持凹部３５に挿入された状態で周方向へ移動可能に支持されている（図１０乃至図１２参照）。作動レバー１５は略円弧状に形成された摺動部３６と摺動部３６の前面から前方に突出された被作用部３７、３７と摺動部３６の後面から後方に突出された押圧突部３８、３８とを有している。
【００９１】
摺動部３６は支持凹部３５の周方向における長さより稍短い略円弧状に形成され、周方向における中間部に他の部分より幅が広いレバー支持部３９が設けられている。レバー支持部３９は他の部分に対して内方に突出された部分が設けられている。
【００９２】
レバー支持部３９には配置孔４０が形成されている（図１４及び図１５参照）。配置孔４０は外形状の大きさが異なる二つの部分から成り、レバー支持部３９の後面側に形成された配置部４０ａとレバー支持部３９の前面側に形成された挿通部４０ｂとから成る。配置部４０ａは挿通部４０ｂより一回り大きくされている。
【００９３】
レバー支持部３９には配置孔４０における挿通部４０ｂの開口縁に、互いに近付く方向に突出された略半円柱状の規制突部３９ａ、３９ａが設けられている。規制突部３９ａ、３９ａは挿通部４０ｂの開口縁における摺動部３６の外周に寄った位置に設けられている。
【００９４】
被作用部３７、３７と押圧突部３８、３８はそれぞれ周方向に離隔して位置されている（図１０及び図１２参照）。
【００９５】
作動レバー１５が支持面部２７に支持された状態においては、摺動部３６の略全体が支持ベース１４の支持凹部３５に挿入され、被作用部３７、３７がそれぞれ支持ベース１４の突部挿通孔２７ｂ、２７ｂに後方から挿通される（図１１及び図１２参照）。
【００９６】
操作レバー１６は作動レバー１５に移動可能に支持されている（図１３乃至図１５参照）。操作レバー１６は板状の被支持部４１と被支持部４１から前方に突出された操作部４２とを有している。操作レバー１６は被支持部４１が配置孔４０の配置部４０ａに後方から挿入されて配置され操作部４２が挿通部４０ｂを挿通されて一部が作動レバー１５から前方に突出されている。
【００９７】
操作レバー１６が作動レバー１５に支持された状態において、操作レバー１６は作動レバー１５に対して摺動部３６の長手方向（図１４に示すＲ方向）には移動不能にされ、摺動部１６の幅方向（図１４及び図１５に示すＨ方向）に移動可能にされている。
【００９８】
操作部４２には作動レバー１５に対して移動可能にされた方向における一端部に、互いに反対方向に突出された被規制突部４２ａ、４２ａが設けられている。被規制突部４２ａ、４２ａは略半円柱状に形成されている。
【００９９】
操作レバー１６は上記のように作動レバー１５に支持されており、作動レバー１５が支持面部２７に支持された状態において、操作部４２が支持ベース１４の作用孔２９に後方から挿通される（図１１及び図１３参照）。
【０１００】
バリア６は支持ベース１４の支持面部２７に回動可能に支持されている（図１６乃至図１８参照）。バリア６は支持ベース１４の支持面部２７に形成された開口２７ａを閉塞する閉塞位置と開口２７ａを開放する開放位置との間で動作される。
【０１０１】
バリア６は一対の第１の羽根４３、４３と一対の第２の羽根４４、４４と一対の第３の羽根４５、４５とによって構成されている。
【０１０２】
一方の第１の羽根４３と一方の第２の羽根４４と一方の第３の羽根４５は何れも支持ベース１４の支持面部２７に設けられた一方の支持軸部２７ｃを支点として回動可能にされ、他方の第１の羽根４３と他方の第２の羽根４４と他方の第３の羽根４５は何れも支持ベース１４の支持面部２７に設けられた他方の支持軸部２７ｃを支点として回動可能にされている。
【０１０３】
第１の羽根４３の一端寄りの位置には支持軸部２７ｃが挿入される被支持孔４３ａが形成されている。第１の羽根４３の側縁には開放用突部４３ｂと閉塞用突部４３ｃが離隔した位置に設けられ、閉塞用突部４３ｃは前方に折り曲げられて形成されている。第１の羽根４３の一端部には突状の被作用部４３ｄと突状のバネ掛け部４３ｅとが設けられている。第１の羽根４３は被支持孔４３ａに支持軸部２７ｃが挿入されることにより支持軸部２７ｃを支点として支持ベース１４に対して回動可能にされている。
【０１０４】
第１の羽根４３のバネ掛け部４３ｅには一端部がベース部材２０に連結された付勢バネ２６の他端部が連結される。従って、第１の羽根４３は付勢バネ２６によって開放位置から閉塞位置へ向けて回動される方向へ付勢される。
【０１０５】
第２の羽根４４の一端寄りの位置には支持軸部２７ｃが挿入される被支持孔４４ａが形成されている。第２の羽根４４の側縁には被押圧突片４４ｂと被押圧突部４４ｃが設けられ、被押圧突片４４ｂは後方に折り曲げられて形成されている。第２の羽根４４は被支持孔４４ａに支持軸部２７ｃが挿入されることにより支持軸部２７ｃを支点として支持ベース１４に対して回動可能にされている。第２の羽根４４は少なくとも一部が第１の羽根４３に前方から重ねられた状態で位置されている。
【０１０６】
第３の羽根４５の一端寄りの位置には支持軸部２７ｃが挿入される被支持孔４５ａが形成されている。第３の羽根４５の側縁には被押圧突片４５ｂと被押圧突部４５ｃが設けられ、被押圧突片４５ｂは後方に折り曲げられて形成されている。第３の羽根４５は被支持孔４５ａに支持軸部２７ｃが挿入されることにより支持軸部２７ｃを支点として支持ベース１４に対して回動可能にされている。第３の羽根４５は少なくとも一部が第２の羽根４４に前方から重ねられた状態で位置されている。
【０１０７】
マウント部１７はリング部材４６と係合部材４７が前後で結合されて構成されている（図７及び図８参照）。
【０１０８】
リング部材４６は円環状に形成され、前後に貫通されたピン挿通孔４６ａが形成されている。
【０１０９】
係合部材４７は円環状の基部４８と基部４８からそれぞれ内方に突出された係合部４９、４９、４９とを有している。係合部４９、４９、４９は基部４８の周方向に離隔して位置され、それぞれ内方及び後方に開口された係合溝４９ａ、４９ａ、４９ａを有している。係合部材４７はリング部材４６の後面における内周部に結合されている。
【０１１０】
マウント部１７はリング部材４６がベース体１３の環状部２３に前方から取り付けられている。マウント部１７がベース体１３に取り付けられた状態において、リング部材４６のピン挿通孔４６ａには解除釦２４に連結された挿入ピン２５が後方から挿通され、挿入ピン２５の前端部がリング部材４６から前方に突出される。
【０１１１】
マウント部１７がベース体１３に取り付けられた状態においては、操作レバー１６がマウント部１７の内側に位置される（図１７参照）。操作レバー１６は、例えば、リング部材４６における内周の近傍に位置される。
【０１１２】
尚、操作レバー１６はマウント部１７の内側であればリング部材４６における内周の近傍以外に位置されていてもよく、例えば、開口２７ａとリング部材４６の間の任意の位置に存在してもよい。また、操作レバー１６はマウント部１７の前面部の他に、マウント部１７の外周部又はマウント部１７の内周部に位置されていてもよい。
【０１１３】
＜交換レンズの構成＞
撮像装置１のマウント部１７にはアクセサリーとして機能する交換レンズ１００が着脱可能にされている（図１９参照）。
【０１１４】
交換レンズ１００は外筒１０１と外筒１０１の後面に取り付けられた結合用リング１０２とを有し、外筒１０１の内外に所要の各部が配置されている。
【０１１５】
外筒１０１の外周面には図示しない調整用リングが前後に離隔して回転自在に支持されている。調整用リングは、例えば、フォーカシング調整やズーミング調整や絞りの光量調整等を行う機能を有している。
【０１１６】
外筒１０１の内部には複数のレンズ群が光軸方向に離隔して配置されている。外筒１０１の内部にはレンズ群の一部として最も後側に位置された後側レンズ１０３が配置されている。
【０１１７】
結合用リング１０２は略円環状のベースリング部１０４とベースリング部１０４の内周部から後方に突出された円筒状の連結部１０５と連結部１０５の後端部からそれぞれ外方に突出された円弧状の結合部１０６、１０６、１０６とから成る。結合用リング１０２はベースリング部１０４が外筒１０１の後面に取り付けられている。ベースリング部１０４にはロック穴１０４ａが形成されている。
【０１１８】
外筒１０１の後端部には結合用リング１０２の内側に端子配置部１０７が設けられている。端子配置部１０７は円弧状に形成され、長手方向（周方向）において離隔して位置された複数の端子１０８、１０８、・・・を有している。
【０１１９】
＜マウント部に対する交換レンズの着脱動作等＞
以下に、マウント部１７に対する交換レンズ１００の着脱動作及びこの着脱動作に伴うバリア６の動作について説明する（図２０乃至図２９参照）。
【０１２０】
先ず、交換レンズ１００がマウント部１７に取り付けられる前における各部の初期状態について説明する（図２０参照）。
【０１２１】
初期状態において、作動レバー１５は一方の移動端（図２０に示すＲ２方向の移動端）に位置されている。このとき操作レバー１６は支持ベース１４に形成された作用孔２９の第１の部分３０に位置されている。
【０１２２】
初期状態において、バリア６は付勢バネ２６、２６の付勢力によって第１の羽根４３、４３が互いに近付く方向へ付勢され、支持ベース１４の開口２７ａを閉塞する閉塞位置にある。このとき第１の羽根４３、４３の被作用部４３ｄ、４３ｄはそれぞれ作動レバー１５における押圧突部３８、３８の近傍に位置されている。
【０１２３】
上記した初期状態において、交換レンズ１００は結合用リング１０２の結合部１０６、１０６、１０６がそれぞれ係合部材４７の係合部４９、４９、４９間に前方から挿入される（図２１参照）。このとき結合用リング１０２はベースリング部１０４がマウント部１７のリング部材４６に押し付けられ、ベースリング部１０４によって挿入ピン２５がピン挿通孔４６ａに押し込まれる。尚、交換レンズ１００のマウント部１７に対する取付に際してベースリング部１０４のリング部材４６に対する周方向における位置を合わせるために、交換レンズ１００と撮像装置１に目印が付されていることが望ましい。
【０１２４】
ベースリング部１０４がリング部材４６に押し付けられることにより、交換レンズ１００の端子配置部１０７が撮像装置１の接点配置部３３に対向して位置される。
【０１２５】
次に、交換レンズ１００がマウント部１７に対してＲ１方向へ回転される。交換レンズ１００がＲ１方向へ回転されると、結合用リング１０２の結合部１０６、１０６、１０６がそれぞれ係合部４９、４９、４９の係合溝４９ａ、４９ａ、４９ａに挿入され、結合部１０６、１０６、１０６がそれぞれ係合部４９、４９、４９に係合されて交換レンズ１００がマウント部１７に取り付けられる（図２２参照）。このとき交換レンズ１００はＲ１方向へ所定の位置まで回転され、ベースリング部１０４のロック穴１０４ａがリング部材４６のピン挿通孔４６ａに対向して位置されたときに、挿入ピン２５がバネ部材の付勢力によって解除釦２４とともに前方へ移動され、挿入ピン２５がロック穴１０４ａに挿入される。
【０１２６】
従って、交換レンズ１００のこれ以上のＲ１方向への回転が規制され、交換レンズ１００がロックされた状態でマウント部１７に取り付けられる。
【０１２７】
交換レンズ１００がロックされた状態でマウント部１７に取り付けられたときには、交換レンズ１００の端子１０８、１０８、・・・がそれぞれ撮像装置１の接点３４、３４、・・・に接続される。端子１０８、１０８、・・・がそれぞれ接点３４、３４、・・・に接続されることにより、交換レンズ１００と撮像装置１の間でのデータ通信が可能な状態にされる。
【０１２８】
上記のように交換レンズ１００がＲ１方向へ回転されるときには、以下のように、作動レバー１５とバリア６が動作される。
【０１２９】
上記のように交換レンズ１００のベースリング部１０４がマウント部１７のリング部材４６に押し付けられた状態において交換レンズ１００がＲ１方向へ回転されていくと、二つの結合部１０６、１０６によってそれぞれ作動レバー１５の被作用部３７、３７が同時に押圧され作動レバー１５と操作レバー１６が一体になって支持ベース１４に対してＲ１方向へ移動されていく（図２３参照）。
【０１３０】
結合部１０６、１０６によって被作用部３７、３７が押圧され作動レバー１５がＲ１方向へ移動されていくと、押圧突部３８、３８によってそれぞれ第１の羽根４３、４３の被作用部４３ｄ、４３ｄが押圧される。従って、第１の羽根４３、４３が付勢バネ２６、２６の付勢力に反して互いに離隔する方向へ支持軸部２７ｃ、２７ｃを支点として回動されていく。
【０１３１】
第１の羽根４３、４３が互いに離隔する方向へ回動されると、開放用突部４３ｂ、４３ｂによってそれぞれ第２の羽根４４、４４の被押圧突片４４ｂ、４４ｂが押圧され、第２の羽根４４、４４も互いに離隔する方向へ回動されていく。
【０１３２】
さらに第１の羽根４３、４３が互いに離隔する方向へ回動されていくと、続いて開放用突部４３ｂ、４３ｂによってそれぞれ第３の羽根４５、４５の被押圧突片４５ｂ、４５ｂも押圧され、第３の羽根４５、４５も互いに離隔する方向へ回動されていく。
【０１３３】
上記のように第１の羽根４３、４３と第２の羽根４４、４４と第３の羽根４５、４５が互いに離隔する方向へ回動され、交換レンズ１００がＲ１方向へ回転されロックされた状態でマウント部１７に取り付けられたときには、回動された第１の羽根４３、４３と第２の羽根４４、４４と第３の羽根４５、４５が支持ベース１４の開口２７ａの全体を開放する位置に至り、バリア６が開放位置に達する（図２４参照）。
【０１３４】
従って、撮影時には交換レンズ１００によって取り込まれた撮影光が支持ベース１４の開口２７ａとベース体１３の光透過孔２２ａを介して撮像素子８に入射され、入射された撮影光が撮像素子８によって光電変換により電気的信号に変換される。
【０１３５】
一方、交換レンズ１００のマウント部１７からの取り外しは、解除釦２４を押圧操作して挿入ピン２５をロック穴１０４ａから引き出してロック状態を解除し、交換レンズ１００をＲ１方向と反対のＲ２方向へ回転して結合部１０６、１０６、１０６の係合部４９、４９、４９への係合を解除し、結合部１０６、１０６、１０６をマウント部１７から引き出すことにより行うことができる。
【０１３６】
このように交換レンズ１００がＲ２方向へ回転されるときには、以下のように、作動レバー１５とバリア６が動作される。
【０１３７】
上記のように交換レンズ１００がＲ２方向へ回転されていくと、二つの結合部１０６、１０６による被作用部３７、３７に対するＲ１方向への押圧が解除されるため、作動レバー１５がＲ２方向へ移動されていくと、第１の羽根４３、４３が付勢バネ２６、２６の付勢力によって互いに接近する方向へ支持軸部２７ｃ、２７ｃを支点として回動されていく（図２５参照）。このとき作動レバー１５は押圧突部３８、３８がそれぞれ第１の羽根４３、４３の被作用部４３ｄ、４３ｄによって押圧され、操作レバー１６と一体になって支持ベース１４に対してＲ２方向へ移動されていく。
【０１３８】
第１の羽根４３、４３が互いに接近する方向へ回動されていくと、閉塞用突部４３ｃ、４３ｃによってそれぞれ第２の羽根４４、４４の被押圧突部４４ｃ、４４ｃが押圧され、第２の羽根４４、４４が互いに接近する方向へ回動されていく。
【０１３９】
また、第１の羽根４３、４３が互いに接近する方向へ回動されるときには、閉塞用突部４３ｃ、４３ｃによってそれぞれ第３の羽根４５、４５の被押圧突部４５ｃ、４５ｃも押圧され、第３の羽根４５、４５も互いに接近する方向へ回動されていく。
【０１４０】
上記のように第１の羽根４３、４３と第２の羽根４４、４４と第３の羽根４５、４５が互いに接近する方向へ回動され、交換レンズ１００における結合部１０６、１０６、１０６の係合部４９、４９、４９に対する係合が解除されたときには、回動された第１の羽根４３、４３と第２の羽根４４、４４と第３の羽根４５、４５が支持ベース１４の開口２７ａの全体を閉塞する位置に至り、バリア６が再び閉塞位置に達する（図２０参照）。
【０１４１】
このとき作動レバー１５と操作レバー１６は交換レンズ１００がマウント部１７に取り付けられる前の元の位置に戻る。
【０１４２】
上記したように、撮像装置１にあっては、交換レンズ１００のマウント部１７に対する着脱動作に伴ってバリア６が動作され、交換レンズ１００がマウント部１７に取り付けられた状態においてバリア６が開放位置に達して開口２７ａが開放され、交換レンズ１００がマウント部１７から取り外された状態においてバリア６が閉塞位置に達して開口２７ａが閉塞される。
【０１４３】
尚、上記したように、操作レバー１６は作動レバー１５に対して摺動部３６の周方向に移動不能にされているため、作動レバー１５が周方向へ移動されるときには作動レバー１５と一体になって移動される。このとき交換レンズ１００の結合部１０６、１０６、１０６は操作レバー１６の操作部４２に接触しない位置において移動される。
【０１４４】
従って、操作部４２は交換レンズ１００のマウント部１７に対する着脱時に交換レンズ１００と接触しない位置に存在するため、交換レンズ１００のマウント部１７に対する着脱時に交換レンズ１００によって操作部４２が操作されることがなく、交換レンズ１００のマウント部１７に対する着脱時に操作部４２の意図しないロックの解除を防止することができる。
【０１４５】
また、撮像装置１にあっては、マウント部１７に対する交換レンズ１００の取付動作に伴って動作されることによりバリア６を移動させる作動レバー１５が設けられている。
【０１４６】
従って、交換レンズ１００がマウント部１７に着脱されるときに作動レバー１５が動作されてバリア６が開放位置と閉塞位置の間で移動されて開口２７ａが開閉されるため、交換レンズ１００の着脱作業と開口２７ａの開閉作業とを各別に行う必要がなく、撮像装置１における作業性の向上を図ることができる。
【０１４７】
上記のように撮像装置１においては、交換レンズ１００がマウント部１７に取り付けられるときにバリア６が動作され、交換レンズ１００がマウント部１７に取り付けられた状態においてバリア６が開放位置に達するが、操作レバー１６に対する操作によってバリア６を動作させて開放位置にロックすることも可能にされている。
【０１４８】
以下に、操作レバー１６が操作されるときの動作について説明する（図２６乃至図２９参照）。
【０１４９】
操作レバー１６はマウント部１７の内側に位置されているため、交換レンズ１００がマウント部１７に取り付けられていない状態において、例えば、手動によって操作される。
【０１５０】
操作レバー１６は操作される前の状態において支持ベース１４における作用孔２９の第１の部分３０に位置されている（図２６参照）。
【０１５１】
操作レバー１６がＲ１方向へ操作されると、作動レバー１５と操作レバー１６が一体になって支持ベース１４に対してＲ１方向へ移動されていく。このとき操作レバー１６は第１の部分３０から第２の部分３１の非ロック用空間３１ａまで移動される（図２７参照）。
【０１５２】
操作レバー１６がＲ１方向へ操作されると、交換レンズ１００の結合部１０６、１０６によって被作用部３７、３７が押圧されて作動レバー１５がＲ１方向へ移動されていくときの動作と同様にして第１の羽根４３、４３と第２の羽根４４、４４と第３の羽根４５、４５が動作され、操作レバー１６が第２の部分３１の非ロック用空間３１ａまで移動されたときにバリア６が開放位置に達する。
【０１５３】
引き続いて操作レバー１６は作動レバー１５に対して支持ベース１４のフランジ部２８側に操作され、操作部４２における被規制突部４２ａ、４２ａ側の端部４２ｂが非ロック用空間３１ａからロック用空間３１ｂまで移動される（図２８参照）。このとき被規制突部４２ａ、４２ａがそれぞれ作動レバー１５のレバー支持部３９に設けられた規制突部３９ａ、３９ａを乗り越えて端部４２ｂがロック用空間３１ｂまで移動される。
【０１５４】
被規制突部４２ａ、４２ａが規制突部３９ａ、３９ａを乗り越えるときには、被規制突部４２ａ、４２ａと規制突部３９ａ、３９ａの一方又は双方が弾性変形された後に弾性復帰される。
【０１５５】
操作レバー１６の端部４２ｂがロック用空間３１ｂまで移動されることにより、操作レバー１６は規制突部３９ａ、３９ａによってロック用空間３１ｂから非ロック用空間３１ａ側への移動が規制され、端部４２ｂがロック用空間３１ｂに保持される。
【０１５６】
操作レバー１６は端部４２ｂがロック用空間３１ｂに保持された状態において、操作部４２が支持ベース１４の支持面部２７に設けられた規制部３２によって周方向におけるＲ２方向への移動が規制され、操作レバー１６の移動が規制されることにより作動レバー１５も周方向におけるＲ２方向への移動が規制される。
【０１５７】
このように作動レバー１５のＲ２方向への移動が規制されることにより、使用者が操作レバー１６を操作していた指を操作レバー１６から離した状態においても、バリア６が支持ベース１４の開口２７ａを開放する開放位置に保持される（図２９参照）。
【０１５８】
従って、使用者は操作レバー１６から指を離した状態において、開口２７ａを介して撮像素子８に付着している塵埃や水分等を布等によって除去するクリーニングを行うことが可能になる。
【０１５９】
また、交換レンズの種類によっては結合部の形状等に相違により、交換レンズがマウント部１７に取り付けられるときに作動レバー１５が周方向へ移動されずバリア６が開放位置まで動作されない場合もある。従って、このような場合においても、交換レンズをマウント部１７に取り付ける前に操作レバー１６をロック状態にし、バリア６を開放位置に保持した状態で交換レンズをマウント部１７に取り付けて交換レンズを用いた撮影等を行うことが可能になる。
【０１６０】
一方、操作部４２が規制部３２によってロックされた状態において、操作レバー１６をロック用空間３１ｂから非ロック用空間３１ａまで操作し操作レバー１６に対するロックを解除すると、交換レンズ１００がＲ２方向へ回転されるときと同様の動作によりて付勢バネ２６、２６の付勢力によって第１の羽根４３、４３と第２の羽根４４、４４と第３の羽根４５、４５が互いに接近する方向へ回動され、バリア６が再び閉塞位置に達する（図２０参照）。
【０１６１】
上記したように、撮像装置１にあっては、操作レバー１６に対する操作によってバリア６が動作され、バリア６が開放位置に達して開口２７ａが開放され、又は、バリア６が閉塞位置に達して開口２７ａが閉塞される。
【０１６２】
＜小括＞
以上に記載した通り、撮像装置１にあっては、マウント部１７に対する交換レンズ１００の取付動作に伴ってバリア６を移動させるための被作用部３７と、マウント部１７に対する交換レンズ１００の取付動作に拘わらずバリア６を移動させる操作部４２とを備え、操作部４２がマウント部１７の内側又はマウント部１７の前面部に位置されている。
【０１６３】
従って、マウント部１７の内側又はマウント部１７の前面部に位置された操作部４２に対する操作によってバリア６が閉塞位置と開放位置の間で移動されて開口２７ａが開閉されるため、撮像装置１を把持した状態において操作部４２に指が接触し難く、撮像装置１の使い勝手の向上を図ることができる。
【０１６４】
また、操作部４２がマウント部１７の内側又はマウント部１７に位置されているため、撮影時等に撮像装置１を把持している状態において、操作部４２に意図せず指が接触し難いため、撮像装置１の使用時における誤操作の発生を防止することができる。
【０１６５】
さらに、操作部４２の操作を規制することによりバリア６の移動を不可とする規制部３２が設けられている。
【０１６６】
従って、規制部３２によって操作部４２の操作が規制されることによりバリア６が所定の位置に保持されるため、開放位置と閉塞位置の間でバリア６が意図せず移動されることがなく、撮像装置１に対する所望の処理や作業を容易に行うことができる。
【０１６７】
さらにまた、規制部３２による操作部４２の操作の規制によりバリア６が開放位置に保持される。
【０１６８】
従って、規制部３２によって操作部４２の操作が規制されることによりバリア６が開放位置に保持されるため、開放位置から閉塞位置へ向けてバリア６が意図せず移動されることがなく、開放位置において撮像装置１に対する所望の処理や作業、例えば、撮像素子８のクリーニング等を容易に行うことができる。
【０１６９】
さらに、交換レンズ１００の取付動作に伴って移動される作動レバー１５が設けられているため、交換レンズ１００の取付動作に伴って作動レバー１５が移動されて被作用部３７が動作され、簡素な構造により被作用部３７を確実に動作させることができる。
【０１７０】
また、規制部３２は支持ベース１４に設けられている。
【０１７１】
従って、作動レバー１５を移動可能に支持する支持ベース１４に規制部３２が設けられているため、規制部３２を設けるための専用の部品を必要とせず、部品点数の削減による撮像装置１の構造の簡素化及び小型化を図ることができる。
【０１７２】
さらに、操作レバー１６は作動レバー１５に支持されている。
【０１７３】
従って、作動レバー１５と操作レバー１６が離隔した位置に存在しないため、作動レバー１５と操作レバー１６の合計の配置スペースが小さくなり、撮像装置１の小型化を図ることができる。
【０１７４】
さらにまた、交換レンズ１００のマウント部１７に対する着脱動作において、作動レバー１５は二つの被作用部３７、３７が交換レンズ１００の結合部１０６、１０６によって同時に押圧されて移動される。
【０１７５】
従って、交換レンズ１００から作動レバー１５に対して付与される押圧力が２箇所に分散され、作動レバー１５の耐久性の向上を図ることができると共に作動レバー１５の移動時のバランスが高まり安定した移動動作を確保することができる。
【０１７６】
尚、交換レンズ１００から押圧力が付与される作動レバー１５の部分は２箇所に限られることはなく、１箇所であっても３箇所以上であってもよい。
【０１７７】
撮像装置１にあっては、マウント部１７に対する交換レンズ１００の取付動作に拘わらずバリア６を移動させる操作部４２と、操作部４２の操作を規制することによりバリア６の移動を不可とする規制部３２とを備え、操作部４２がマウント部１７の内側又はマウント部１７の前面部に位置されている。
【０１７８】
従って、マウント部１７の内側又はマウント部１７の前面部に位置された操作部４２に対する操作によってバリア６が閉塞位置と開放位置の間で移動されて開口２７ａが開閉されるため、撮像装置１を把持した状態において操作部４２に指が接触し難く、撮像装置１の使い勝手の向上を図ることができる。
【０１７９】
また、撮像装置１にあっては、操作部４２がマウント部１７の内側又はマウント部１７に位置されているため、撮影時等に撮像装置１を把持している状態において、操作部４２に意図せず指が接触し難く、撮像装置１の使用時における誤操作の発生を防止することができる。
【０１８０】
さらに、規制部３２によって操作部４２がロックされることによりバリア６が所定の位置に保持されるため、開放位置と閉塞位置の間でバリア６が意図せず移動されることがなく、開放位置において撮像装置１に対する所望の処理や作業、例えば、撮像素子８のクリーニング等を容易に行うことができる。
【０１８１】
撮像装置１にあっては、マウント部１７に対する交換レンズ１００の取付動作に拘わらずバリア６を移動させる操作部４２を備え、操作部４２が交換レンズ１００のマウント部１７に対する着脱時に交換レンズ１００と接触しない位置においてマウント部１７の内側又はマウント部１７の前面部に位置されている。
【０１８２】
従って、マウント部１７の内側又はマウント部１７の前面部に位置された操作部４２に対する操作によってバリア６が閉塞位置と開放位置の間で移動されて開口２７ａが開閉されるため、撮像装置１を把持した状態において操作部４２に指が接触し難く、撮像装置１の使い勝手の向上を図ることができる。
【０１８３】
また、操作部４２がマウント部１７の内側又はマウント部１７に位置されているため、撮影時等に撮像装置１を把持している状態において、操作部４２に意図せず指が接触し難く、撮像装置１の使用時における誤操作の発生を防止することができる。
【０１８４】
さらに、交換レンズ１００のマウント部１７に対する着脱時に交換レンズ１００によって操作部４２が操作されることがなく、交換レンズ１００のマウント部１７に対する着脱時に操作部４２の意図しないロックの解除を防止することができる。
【０１８５】
＜他の構成例＞
以下に、作動レバー１５や操作レバー１６等に関する他の構成例について説明する（図３０乃至図４１参照）。
【０１８６】
先ず、第１の構成例について説明する（図３０乃至図３２参照）。
【０１８７】
第１の構成例には、支持ベース１４における支持面部２７の外周部において周方向へ移動可能なロック解除レバー５０が設けられている。ロック解除レバー５０は長手方向における一端部に一方向（Ｒ１方向）へ行くに従って支持面部２７の外周側に変位する作用傾斜面５０ａが形成され、長手方向における他端面が被押圧面５０ｂとして形成されている。
【０１８８】
ロック解除レバー５０は操作レバー１６が規制部３２によってロックされているときに移動されて操作レバー１６に作用する。ロック解除レバー５０は図示しないバネによってＲ２方向へ付勢されている。
【０１８９】
操作レバー１６がロックされているときに交換レンズ１００がマウント部１７に取り付けられていない状態においては、ロック解除レバー５０は作用傾斜面５０ａが操作レバー１６における端部４２ｂの近傍に位置されている（図３０参照）。
【０１９０】
交換レンズ１００のマウント部１７に対する取付時に交換レンズ１００がマウント部１７に対して回転されていくと、結合部１０６によってロック解除レバー５０の被押圧面５０ｂがＲ１方向へ押圧され、ロック解除レバー５０がバネの付勢力に反してＲ１方向へ移動されていく（図３１参照）。ロック解除レバー５０がＲ１方向へ移動されると、作用傾斜面５０ａが操作レバー１６の端部４２ｂに摺動され、操作レバー１６が非ロック用空間３１ａ側に移動され操作レバー１６のロックが解除される。
【０１９１】
操作レバー１６のロックが解除されると、第１の羽根４３を介して付勢バネ２６の付勢力が伝達されている作動レバー１５と操作レバー１６が一体になってＲ２方向へ移動される。このとき交換レンズ１００がマウント部１７に対してＲ１方向へ回転されているため、結合部１０６によって作動レバー１５の被作用部３７がロック解除レバー５０の被押圧面５０ｂとともに押圧され、作動レバー１５がＲ１方向へ移動される（図３２参照）。従って、交換レンズ１００がマウント部１７に取り付けられたときに作動レバー１５のＲ１方向への移動によってバリア６が開放位置に達する。
【０１９２】
交換レンズ１００がマウント部１７から取り外されるときには、第１の羽根４３を介して付勢バネ２６の付勢力が伝達されている作動レバー１５と操作レバー１６が一体になってＲ２方向へ移動されてバリア６が開放位置に達し、ロック解除レバー５０がバネの付勢力によってＲ２方向へ移動されて元の位置に戻る。
【０１９３】
このように第１の構成例においては、操作レバー１６がロックされている状態において交換レンズ１００がマウント部１７に取り付けられるときに、操作レバー１６のロックが解除されると共に交換レンズ１００によってバリア６が開放位置まで動作される。
【０１９４】
従って、操作レバー１６のロックの解除動作とバリア６の開放位置への動作が交換レンズ１００の取付動作によって連続して行われるため、操作レバー１６のロックの解除操作とバリア６の開放位置への操作とを各別に行う必要がなく、交換レンズ１００の取付を容易かつ迅速に行うことができると共に撮影機会の逸失を低減することができる。
【０１９５】
次に、第２の構成例について説明する（図３３乃至図３５参照）。
【０１９６】
第２の構成例には、操作レバー１６に代えて操作レバー１６Ａが設けられており、操作レバー１６Ａは作動レバー１５と一体に設けられている。操作レバー１６Ａは作動レバー１５の摺動部３６に固定されていてもよく、作動レバー１５に対して移動されず作動レバー１５と一体になって移動される。
【０１９７】
操作レバー１６Ａは操作部４２Ａを有している。操作部４２Ａには作動レバー１５の移動方向における一端寄りの位置に、互いに反対方向に突出された被規制突部４２ｃ、４２ｃが設けられている。被規制突部４２ｃ、４２ｃは略半円柱状に形成されている。
【０１９８】
支持ベース１４の支持面部２７Ａには作用孔２９に代えて作用孔２９Ａが形成されており、作用孔２９Ａは周方向に延びる緩やかな円弧状に形成されている。支持面部２７Ａには作用孔２９Ａの開口縁に、互いに近付く方向に突出された略半円柱状の規制部５１、５１が設けられている。規制部５１、５１は作用孔２９Ａの周方向における一方の端部寄りの位置に設けられている。作用孔２９Ａは規制部５１、５１を基準としてＲ２側の空間が非ロック用空間２９ａとして形成されＲ１側の空間がロック用空間２９ｂとして形成されている。
【０１９９】
操作レバー１６Ａは操作される前の状態において作用孔２９Ａにおける非ロック用空間２９ａのＲ２側の端部に位置されている（図３３参照）。
【０２００】
操作レバー１６ＡがＲ１方向へ操作されると、作動レバー１５と操作レバー１６Ａが一体になって支持ベース１４に対してＲ１方向へ移動されていく（図３４参照）。このとき操作レバー１６Ａは非ロック用空間２９ａのＲ１方向側の端部まで移動され、被規制突部４２ｃ、４２ｃがそれぞれ規制部５１、５１に当接又は近接した状態にされ、バリア６により開口２７ａが開放される。
【０２０１】
引き続いて操作レバー１６ＡがＲ１方向へ操作されると、被規制突部４２ｃ、４２ｃがそれぞれ規制部５１、５１を乗り越えて端部４２ｄがロック用空間２９ｂまで移動される（図３５参照）。
【０２０２】
被規制突部４２ｃ、４２ｃが規制部５１、５１を乗り越えるときには、被規制突部４２ｃ、４２ｃと規制部５１、５１の一方又は双方が弾性変形された後に弾性復帰される。端部４２ｄがロック用空間２９ｂまで移動されることにより、操作レバー１６Ａは規制部５１、５１によってロック用空間２９ｂから非ロック用空間２９ａ側への移動が規制され、端部４２ｄがロック用空間２９ｂに保持される。
【０２０３】
操作レバー１６Ａは端部４２ｄがロック用空間２９ｂに保持された状態において、規制部５１、５１によって周方向におけるＲ２方向への移動が規制され、操作レバー１６Ａの移動が規制されることにより作動レバー１５もＲ２方向への移動が規制される。
【０２０４】
このように作動レバー１５のＲ２方向への移動が規制されることにより、使用者が操作レバー１６Ａを操作していた指を操作レバー１６Ａから離した状態においても、バリア６が支持ベース１４の開口２７ａを開放した状態が保持される。
【０２０５】
一方、操作レバー１６Ａが規制部５１、５１によってロックされた状態において、操作レバー１６Ａをロック用空間２９ｂから非ロック用空間２９ａまで操作し操作レバー１６Ａに対するロックを解除すると、付勢バネ２６、２６の付勢力によって第１の羽根４３、４３と第２の羽根４４、４４と第３の羽根４５、４５が互いに接近する方向へ回動され、バリア６が再び閉塞位置に達する。
【０２０６】
このように第２の構成例においては、操作レバー１６Ａが作動レバー１５の移動方向と同じ方向へ操作されて操作レバー１６Ａがロックされる。
【０２０７】
従って、操作レバー１６Ａをロックする操作方向がバリア６の開放位置から閉塞位置へ向けて動作させるときの操作レバー１６Ａの操作方向と同じであり、操作レバー１６Ａのロックと開口２７ａの開放が操作レバー１６Ａの同じ方向への操作により同時に行われるため、容易かつ迅速な操作により操作レバー１６Ａのロックと開口２７ａの開放を行うことができる。
【０２０８】
次いで、第３の構成例について説明する（図３６乃至図３８参照）。
【０２０９】
第３の構成例には、操作レバー１６に代えて操作レバー１６Ｂが設けられている。操作レバー１６Ｂは円柱状の操作部５２と操作部５２の外周部からそれぞれ後方に突出された脚部５３、５３と操作部５２の中心部から後方に突出された軸部５４とを有している。脚部５３の後端部には外方に突出された被規制突部５３ａが設けられている。操作レバー１６Ｂの軸部５４には圧縮コイルバネ５５が支持されている。
【０２１０】
操作レバー１６Ｂは作動レバー１５と一体になって摺動部３６Ｂの長手方向へ移動される。操作レバー１６Ｂは作動レバー１５に前後方向へ移動可能に支持され、図示しない規制部によって作動レバー１５に対する前方への過度の移動が規制されている。操作レバー１６Ｂは前方から押圧操作され、押圧操作が行われる毎に後方への移動と前方への移動とが交互に行われ、後方への移動と前方への移動とが行われるときにそれぞれ軸部５４の軸回り方向へ所定の角度ずつ回転される構成にされている。
【０２１１】
支持ベース２７Ｂにはレバー規制部５６、５６が設けられている。一方のレバー規制部５６には、例えば、操作レバー１６Ｂが移動されたときに軸部５４が通過される図示しないスリットが形成されている。
【０２１２】
摺動部３６Ｂには軸挿入孔３６ａが形成されている。
【０２１３】
操作レバー１６Ｂは軸部５４が軸挿入孔３６ａの真正面に位置されている。
【０２１４】
支持ベース１４の支持面部２７Ｂには作用孔２９に代えて作用孔２９Ｂが形成されており、作用孔２９Ｂは周方向に延びる緩やかな円弧状に形成されている。
【０２１５】
操作レバー１６Ｂは操作される前の状態において作用孔２９ＢのＲ２方向における端部に位置されている（図３６参照）。
【０２１６】
操作レバー１６ＢがＲ１方向へ操作されると、作動レバー１５と操作レバー１６Ｂが一体になって支持ベース１４に対してＲ１方向へ移動され、操作レバー１６Ｂは作用孔２９ＢのＲ１方向における端部まで移動される（図３７参照）。操作レバー１６Ｂが作用孔２９ＢのＲ１方向における端部まで移動されるときには、例えば、軸部５４がレバー規制部５６のスリットを通過される。操作レバー１６Ｂが作用孔２９ＢのＲ１方向における端部まで移動されたときには、バリア６が開放位置に達する。
【０２１７】
次に、操作レバー１６Ｂが前方から押圧操作される。操作レバー１６Ｂが押圧操作されると、軸回り方向へ回転しながら後方へ移動され、被規制突部５３ａ、５３ａがそれぞれレバー規制部５６、５６の真後ろに位置されると共に軸部５４が作動レバー１５の軸挿入孔３６ａに挿入される。操作レバー１６Ｂが回転しながら後方へ移動されて軸部５４が軸挿入孔３６ａに挿入されることにより、圧縮コイルバネ５５が操作部５２の後面と軸挿入孔３６ａの前側開口縁との間で圧縮され、操作レバー１６Ｂに後方への移動前よりも大きな前方への付勢力が圧縮コイルバネ５５によって付与される。
【０２１８】
従って、操作レバー１６Ｂに対する押圧操作が解除されると、圧縮コイルバネ５５の付勢力によって被規制突部５３ａ、５３ａがそれぞれレバー規制部５６、５６に後方から押し付けられ、操作レバー１６Ｂがレバー規制部５６、５６によってロックされる（図３８参照）。
【０２１９】
このように操作レバー１６Ｂがレバー規制部５６、５６によってロックされることにより、使用者が操作レバー１６Ｂを操作していた指を操作レバー１６Ｂから離した状態においても、バリア６が支持ベース１４の開口２７ａを開放する開放位置に保持される。
【０２２０】
一方、操作レバー１６Ｂがレバー規制部５６、５６によってロックされた状態において、操作レバー１６Ｂが再度押圧操作されると、操作レバー１６Ｂが回転されて被規制突部５３ａ、５３ａのレバー規制部５６、５６との係合が解除され、圧縮コイルバネ５５の付勢力によってロックされる前の元の位置まで前方へ移動される。
【０２２１】
続いて、操作レバー１６ＢはＲ２方向へ操作され、作用孔２９ＢのＲ２方向における端部まで移動され操作される前の状態に戻る。
【０２２２】
このように第３の構成例においては、操作レバー１６Ｂが押圧操作されることによりロック状態とロックの解除状態とが交互に設定される。
【０２２３】
従って、操作レバー１６Ｂのロックとロックの解除とを容易かつ迅速な操作により行うことができる。
【０２２４】
次に、第４の構成例について説明する（図３９乃至図４１参照）。
【０２２５】
第４の構成例には、操作レバー１６に代えて操作レバー１６Ｃが設けられている。操作レバー１６Ｃは円板状の操作部５７と操作部５７の外周部から外方に突出された被規制突部５８が設けられている。操作部５７には前方に突出された摘子部５７ａが設けられている。
【０２２６】
操作レバー１６Ｃは作動レバー１５と一体になって摺動部３６Ｃの長手方向へ移動される。操作レバー１６Ｃは作動レバー１５に操作部５７の軸回り方向へ回転可能に支持されている。
【０２２７】
支持ベース１４の支持面部２７Ｃの後面には後方に凸のレバー規制部５９が設けられている。支持面部２７Ｃにはレバー規制部５９に隣接して後方及び作用孔２９Ｃ側に開口された溝部である規制部６０が形成されている。作用孔２９Ｃは周方向に延びる緩やかな円弧状に形成されている。
【０２２８】
操作レバー１６Ｃは操作される前の状態において作用孔２９ＣのＲ２方向における端部に位置されている（図３９参照）。このとき操作レバー１６Ｃは被規制突部５８が作用孔２９Ｃの長手方向に突出される回転位置に保持されている。
【０２２９】
操作レバー１６ＣがＲ１方向へ操作されると、作動レバー１５と操作レバー１６Ｃが一体になって支持ベース１４に対してＲ１方向へ移動され、操作レバー１６Ｃは作用孔２９ＣのＲ１方向における端部まで移動される（図４０参照）。操作レバー１６Ｃが作用孔２９ＣのＲ１方向における端部まで移動されることによりバリア６が開放位置に達する。
【０２３０】
次に、操作レバー１６Ｃが回転操作される。操作レバー１６Ｃの回転操作は、例えば、摘子部５７ａが把持されることにより行われる。操作レバー１６Ｃが回転操作されると、被規制突部５８がレバー規制部５９を乗り越えて規制部６０に挿入され、操作レバー１６Ｃが規制部６０によってロックされる（図４１参照）。被規制突部５８が規制突部５９を乗り越えるときには、被規制突部５８と規制突部５９の一方又は双方が弾性変形された後に弾性復帰される。
【０２３１】
このように操作レバー１６Ｃが規制部６０によってロックされることにより、使用者が操作レバー１６Ｃを操作していた指を操作レバー１６Ｃから離した状態においても、バリア６が支持ベース１４の開口２７ａを開放する開放位置に保持される。
【０２３２】
一方、操作レバー１６Ｃが規制部６０によってロックされた状態において、操作レバー１６Ｃが上記とは反対方向へ回転操作されると、被規制突部５８の規制部６０との係合が解除され、操作レバー１６Ｂが回転操作される前の元の位置まで回転される。
【０２３３】
続いて、操作レバー１６ＣはＲ２方向へ操作され、作用孔２９ＣのＲ２方向における端部まで移動され操作される前の状態に戻る。
【０２３４】
このように第４の構成例においては、操作レバー１６Ｃが回転操作されることによりロック状態とロックの解除状態とが設定される。
【０２３５】
従って、操作レバー１６Ｃのロックとロックの解除とを容易かつ迅速な操作により行うことができる。
【０２３６】
尚、撮像装置１においては、他の構成例として、例えば、操作レバーが押圧操作されることによりバリア６が閉塞位置から移動され、操作レバーがさらに押圧操作されることによりロックされると共にバリア６が開放位置まで動作される構成が用いられていてもよい。
【０２３７】
また、撮像装置１においては、別の他の構成例として、例えば、操作レバーが回転操作されることによりバリア６が閉塞位置と開放位置の間で移動され、操作レバーがさらに回転操作されることによりロックされると共にバリア６が開放位置まで動作される構成が用いられていてもよい。
【０２３８】
＜その他＞
上記には、バリア６が第１の羽根４３、４３と第２の羽根４４、４４と第３の羽根４５、４５の合計６枚の羽根によって構成された例を示したが、バリアは６枚の羽根を有する構成に限られることはなく、羽根の数は任意である。例えば、バリアは１枚や２枚等の数の少ない羽根によって構成されていてもよい。
【０２３９】
また、撮像装置１にあっては、例えば、筐体２の前面部に、現在の設定モードを表示するためのモード表示部６１が設けられていてもよい（図４２参照）。例えば、センサーによって操作レバー１６（１６Ａ、１６Ｂ、１６Ｃ）のロックの状態を検出し、操作レバー１６がロック状態である場合にはモード表示部６１が第１の色で表示されたりロック状態を示す表示が行われるようにし、操作レバー１６がロックされていない状態である場合にはモード表示部６１が第２の色で表示されたりロック解除の状態を示す表示が行われるようにすることが可能である。
【０２４０】
このようなモード表示部６１の表示状態により、使用者が現在の設定モードを撮像装置１の外部から認識することができ、撮像装置１の使い勝手の向上を図ることができる。特に、交換レンズ１００がマウント部１７に取り付けられた状態においては、使用者が撮像装置１の外部からバリア６の開閉状態（移動状態）を認識することができないため、モード表示部６１が設けられることにより交換レンズ１００がマウント部１７に取り付けられた状態においても使用者が現在の設定モードによりバリア６の開閉状態を撮像装置１の外部から認識することができる。
【０２４１】
＜撮像装置の一実施形態＞
以下に、本技術撮像装置の一実施形態によるスチルカメラのブロック図を示す（図４３参照）。
【０２４２】
撮像装置１は、取り込まれた光を電気信号に変換する光電変換機能を有する撮像素子８と、撮影された画像信号のアナログ−デジタル変換等の信号処理を行うカメラ信号処理部８１と、画像信号の記録再生処理を行う画像処理部８２とを有している。また、撮像装置１は、撮影された画像等を表示する表示部８３（ディスプレイ）と、メモリー９０への画像信号の書込及び読出を行うＲ／Ｗ（リーダ／ライタ）８４と、撮像装置１の全体を制御するＣＰＵ（Central Processing Unit）８５と、使用者によって所要の操作が行われる各種のスイッチ等の入力部８６（入力部３、３、・・・）と、交換レンズ１００に設けられたレンズ群１１０の駆動を制御するレンズ駆動制御部８７とを備えている。
【０２４３】
カメラ信号処理部８１は、撮像素子８からの出力信号に対するデジタル信号への変換、ノイズ除去、画質補正、輝度・色差信号への変換等の各種の信号処理を行う。
【０２４４】
画像処理部８２は、所定の画像データフォーマットに基づく画像信号の圧縮符号化・伸張復号化処理や解像度等のデータ仕様の変換処理等を行う。
【０２４５】
表示部８３は使用者の入力部８６に対する操作状態や撮影した画像等の各種のデータを表示する機能を有している。
【０２４６】
Ｒ／Ｗ８４は、画像処理部８２によって符号化された画像データのメモリー９０への書込及びメモリー９０に記録された画像データの読出を行う。
【０２４７】
ＣＰＵ８５は、撮像装置１に設けられた各回路ブロックを制御する制御処理部として機能し、入力部８６からの指示入力信号等に基づいて各回路ブロックを制御する。
【０２４８】
入力部８６は使用者による操作に応じた指示入力信号をＣＰＵ８５に対して出力する。
【０２４９】
レンズ駆動制御部８７は、ＣＰＵ８５からの制御信号に基づいてレンズ群１１０を駆動する図示しないモータ等を制御する。
【０２５０】
メモリー９０は、例えば、Ｒ／Ｗ８４に接続されたスロットに対して着脱可能な半導体メモリーである。
【０２５１】
以下に、撮像装置１における動作を説明する。
【０２５２】
撮影の待機状態では、ＣＰＵ８５による制御の下で、撮影された画像信号がカメラ信号処理部８１を介して表示部８３に出力され、カメラスルー画像として表示される。また、入力部８６からのズーミングのための指示入力信号が入力されると、ＣＰＵ８５がレンズ駆動制御部８７に制御信号を出力し、レンズ駆動制御部８７の制御に基づいて所定のレンズ群１１０が移動される。
【０２５３】
入力部８６からの指示入力信号により撮影が行われると、撮影された画像信号がカメラ信号処理部８１から画像処理部８２に出力されて圧縮符号化処理され、所定のデータフォーマットのデジタルデータに変換される。変換されたデータはＲ／Ｗ８４に出力され、メモリー９０に書き込まれる。
【０２５４】
フォーカシングはＣＰＵ８５からの制御信号に基づいてレンズ駆動制御部８７が所定のレンズ群１１０を移動させることにより行われる。
【０２５５】
メモリー９０に記録された画像データを再生する場合には、入力部８６に対する操作に応じてＲ／Ｗ８４によってメモリー９０から所定の画像データが読み出され、画像処理部８２によって伸張復号化処理が行われた後に、再生画像信号が表示部８３に出力されて再生画像が表示される。
【０２５６】
＜本技術＞
本技術は、以下のような構成にすることができる。
【０２５７】
（１）
アクセサリーが取付可能な環状のマウント部と、
開口を通じて取り込まれた被写体光を受光する撮像素子と、
前記開口を閉塞する閉塞位置と前記開口を開放する開放位置との間で移動されるバリアと、
前記マウント部に対する前記アクセサリーの取付動作に伴って前記バリアを移動させるための被作用部と、
前記マウント部に対する前記アクセサリーの取付動作に拘わらず前記バリアを移動させる操作部とを備え、
前記操作部が前記マウント部の内側又は前記マウント部の前面部に位置された
撮像装置。
【０２５８】
（２）
前記操作部の操作を規制することにより前記バリアの移動を不可とする規制部が設けられた
前記（１）に記載の撮像装置。
【０２５９】
（３）
前記規制部による前記操作部の操作の規制により前記バリアが前記開放位置に保持される
前記（２）に記載の撮像装置。
【０２６０】
（４）
前記被作用部を有し前記アクセサリーの取付動作に伴って移動される作動レバーが設けられた
前記（１）から前記（３）の何れかに記載の撮像装置。
【０２６１】
（５）
前記作動レバーを移動可能に支持する支持ベースが設けられ、
前記操作部の操作を規制することにより前記バリアの移動を不可とする規制部が設けられ、
前記規制部が前記支持ベースに設けられた
前記（４）に記載の撮像装置。
【０２６２】
（６）
前記操作部が前記アクセサリーの前記マウント部に対する着脱時に前記アクセサリーと接触しない位置に存在する
前記（１）から前記（５）の何れかに記載の撮像装置。
【０２６３】
（７）
前記操作部を有する操作レバーが設けられ、
前記操作レバーが前記作動レバーに支持された
前記（４）又は前記（５）に記載の撮像装置。
【０２６４】
（８）
アクセサリーが取付可能な環状のマウント部と、
開口を通じて取り込まれた被写体光を受光する撮像素子と、
前記開口を閉塞する閉塞位置と前記開口を開放する開放位置との間で移動されるバリアと、
前記マウント部に対する前記アクセサリーの取付動作に拘わらず前記バリアを移動させる操作部と、
前記操作部の操作を規制することにより前記バリアの移動を不可とする規制部とを備え、
前記操作部が前記マウント部の内側又は前記マウント部の前面部に位置された
撮像装置。
【０２６５】
（９）
前記マウント部に対する前記アクセサリーの取付動作に伴って前記バリアを移動させるための被作用部が設けられた
前記（８）に記載の撮像装置。
【０２６６】
（１０）
前記被作用部を有し前記アクセサリーの取付動作に伴って移動される作動レバーが設けられた
前記（９）に記載の撮像装置。
【０２６７】
（１１）
前記作動レバーを移動可能に支持する支持ベースが設けられ、
前記規制部が前記支持ベースに設けられた
前記（１０）に記載の撮像装置。
【０２６８】
（１２）
前記操作部を有する操作レバーが設けられ、
前記操作レバーが前記作動レバーに支持された
前記（１０）又は前記（１１）に記載の撮像装置。
【０２６９】
（１３）
前記規制部による前記操作部の操作の規制により前記バリアが前記開放位置に保持される
前記（８）から前記（１２）の何れかに記載の撮像装置。
【０２７０】
（１４）
前記操作部が前記アクセサリーの前記マウント部に対する着脱時に前記アクセサリーと接触しない位置に存在する
前記（８）から前記（１３）の何れかに記載の撮像装置。
【０２７１】
（１５）
アクセサリーが取付可能な環状のマウント部と、
開口を通じて取り込まれた被写体光を受光する撮像素子と、
前記開口を閉塞する閉塞位置と前記開口を開放する開放位置との間で移動されるバリアと、
前記マウント部に対する前記アクセサリーの取付動作に拘わらず前記バリアを移動させる操作部とを備え、
前記操作部が前記アクセサリーの前記マウント部に対する着脱時に前記アクセサリーと接触しない位置において前記マウント部の内側又は前記マウント部の前面部に位置された
撮像装置。
【０２７２】
（１６）
前記操作部の操作を規制することにより前記バリアの移動を不可とする規制部が設けられた
前記（１５）に記載の撮像装置。
【０２７３】
（１７）
前記規制部による前記操作部の操作の規制により前記バリアが前記開放位置に保持される
前記（１６）に記載の撮像装置。
【０２７４】
（１８）
前記マウント部に対する前記アクセサリーの取付動作に伴って前記バリアを移動させるための被作用部が設けられた
前記（１５）から前記（１７）の何れかに記載の撮像装置。
【０２７５】
（１９）
前記被作用部を有し前記アクセサリーの取付動作に伴って移動される作動レバーが設けられた
前記（１８）に記載の撮像装置。
【０２７６】
（２０）
前記操作部の操作を規制することにより前記バリアの移動を不可とする規制部が設けられ、
前記作動レバーを移動可能に支持する支持ベースが設けられ、
前記規制部が前記支持ベースに設けられた
前記（１９）に記載の撮像装置。
【０２７７】
（２１）
前記操作部を有する操作レバーが設けられ、
前記操作レバーが前記作動レバーに支持された
前記（１９）又は前記（２０）に記載の撮像装置。
【符号の説明】
【０２７８】
１…撮像装置、６…バリア、８…撮像素子、１４…支持ベース、１５…作動レバー、１６…操作レバー、１７…マウント部、２７ａ…開口、３２…規制部、４２…操作部、１００…交換レンズ（アクセサリー）、１６Ａ…操作レバー、３７…被作用部、４２Ａ…操作部、５１…規制部、１６Ｂ…操作レバー、５２…操作部、５６ｂ…規制部、１６Ｃ…操作レバー、５７…操作部、６０…規制部
【図１】
2018110063.tif 000003
【図２】
2018110063.tif 000004
【図３】
2018110063.tif 000005
【図４】
2018110063.tif 000006
【図５】
2018110063.tif 000007
【図６】
2018110063.tif 000008
【図７】
2018110063.tif 000009
【図８】
2018110063.tif 000010
【図９】
2018110063.tif 000011
【図１０】
2018110063.tif 000012
【図１１】
2018110063.tif 000013
【図１２】
2018110063.tif 000014
【図１３】
2018110063.tif 000015
【図１４】
2018110063.tif 000016
【図１５】
2018110063.tif 000017
【図１６】
2018110063.tif 000018
【図１７】
2018110063.tif 000019
【図１８】
2018110063.tif 000020
【図１９】
2018110063.tif 000021
【図２０】
2018110063.tif 000022
【図２１】
2018110063.tif 000023
【図２２】
2018110063.tif 000024
【図２３】
2018110063.tif 000025
【図２４】
2018110063.tif 000026
【図２５】
2018110063.tif 000027
【図２６】
2018110063.tif 000028
【図２７】
2018110063.tif 000029
【図２８】
2018110063.tif 000030
【図２９】
2018110063.tif 000031
【図３０】
2018110063.tif 000032
【図３１】
2018110063.tif 000033
【図３２】
2018110063.tif 000034
【図３３】
2018110063.tif 000035
【図３４】
2018110063.tif 000036
【図３５】
2018110063.tif 000037
【図３６】
2018110063.tif 000038
【図３７】
2018110063.tif 000039
【図３８】
2018110063.tif 000040
【図３９】
2018110063.tif 000041
【図４０】
2018110063.tif 000042
【図４１】
2018110063.tif 000043
【図４２】
2018110063.tif 000044
【図４３】
2018110063.tif 000045
【国際調査報告】
2018110063.tif 000046
2018110063.tif 000047
2018110063.tif 000048
2018110063.tif 000049